(57)【特許請求の範囲】
【請求項１】
フットマット本体を具備するスマート発光フットマットであって、
前記フットマット本体は、前記フットマット本体の縁辺に設置された発光装置、及び前記フットマット本体に設置された制御ユニットを含み、
前記制御ユニットは、メモリー、コントローラ及び無線送受信装置を含み、
前記メモリーに前記発光装置の発光状態表が保存され、
前記発光状態表は、複数の発光状態、及び前記複数の発光状態に対応した複数のコードを有し、
前記コントローラは、前記発光装置及び前記メモリーに接続されており、前記複数のコードに基づいて前記発光装置の発光状態を制御し、
前記無線送受信装置は、前記コントローラに接続されており、前記無線送受信装置は無線制御信号を受信して前記コントローラに送信し、
前記コントローラは、前記無線制御信号を解析してコードを取得し、前記コードを前記発光状態表における前記複数のコードと対照し、前記コントローラは前記コードに基づいて、対応した発光状態に前記発光装置を制御する、ことを特徴とする発光フットマット。
【請求項２】
前記制御ユニットはさらに給電装置を含み、前記給電装置は前記発光装置、前記メモリー、前記コントローラ及び前記無線送受信装置に接続され、前記給電装置は前記発光装置、前記メモリー、前記コントローラ及び前記無線送受信装置に給電する、請求項１に記載のスマート発光フットマット。
【請求項３】
前記給電装置は、電池及び出力／入力ポートを含み、前記出力／入力ポートは前記電池及び外部電源に接続され、前記出力／入力ポートは前記外部電源の電力を受電して前記電池に貯蔵する、請求項２に記載のスマート発光フットマット。
【請求項４】
前記無線送受信装置は無線通信技術を通して移動通信装置からの前記無線制御信号を受信する、請求項１に記載のスマート発光フットマット。
【請求項５】
前記無線送受信装置は無線通信技術を通して移動通信装置からの発光状態調整信号を受信して前記コントローラに送信し、それによって、前記発光装置の前記発光状態における点滅頻度、色彩明度または変色頻度を調整する、請求項１に記載のスマート発光フットマット。
【請求項６】
前記無線通信技術は、ブルートゥース（登録商標）または無線ＬＡＮであり、前記発光装置はＬＥＤバーであり、前記複数のコードはそれぞれ、移動通信装置における着信表示、不在着信通知、メッセージ通知、電池残量またはアプリケーション通知の装置状態に対応する、請求項４または５に記載のスマート発光フットマット。
【請求項７】
前記フットマット本体はさらにボタン式インターフェイスを含み、前記ボタン式インターフェイスは前記コントローラに接続され、前記コントローラは、前記ボタン式インターフェイスが押されることによって発生したボタン信号を受信する、請求項１に記載のスマート発光フットマット。
【請求項８】
前記コントローラは、前記ボタン信号に基づいて前記発光装置を制御する、請求項７に記載のスマート発光フットマット。
【請求項９】
前記コントローラは、前記ボタン信号に基づいて前記無線送受信装置を通して無線で移動通信装置を操作する、請求項７に記載のスマート発光フットマット。
【請求項１０】
さらに音声受信装置及び音声認識手段を具備し、
前記音声受信装置は前記コントローラに接続され、
前記音声認識手段は前記コントローラに接続されるとともに、前記音声受信装置が取得した音声信号を識別し、
前記コントローラは、前記音声認識手段の認識結果に基づいて前記発光装置の前記発光状態における点滅頻度、色彩明度または変色頻度を制御する、請求項１に記載のスマート発光フットマット。
【発明の詳細な説明】
【技術分野】
【０００１】
本発明はフットマットに関し、特にスマート発光フットマットに関する。
【背景技術】
【０００２】
一般のフットマットは、例えば室外から室内に移動する、あるいは車外から車内に移動するなど、所在環境が変更したときに使用される。フットマットの用途は、主に、室内または車内の環境を汚さず、室内または車内を清潔に保つことである。また、特に、自動車に使用する場合、フットマットは自動車の内装を足踏みで汚さないことができる。
【０００３】
特許文献１では自動車用フットマットが開示される。当該自動車用フットマットにはＬＥＤが設置され、それによって、自動車用フットマットは車内清潔維持効果のみならず、さらに照明効果を有する。前述したように、フットマットは改良されたが、フットマットの応用は依然として照明に留まる。
【０００４】
そこで、上記フットマットをさらに改良する点を鑑みて、本発明者は、発光フットマットに対し鋭意に研究し、フットマットの応用を増加するように改善し続ける。
【先行技術文献】
【特許文献】
【０００５】
【特許文献１】台湾実用新案登録第Ｍ４２７３０２号
【発明の概要】
【発明が解決しようとする課題】
【０００６】
本発明が解決しようとする課題は、上述のように少なくとも一つの問題を解決すべく、スマート発光フットマットを提供することである。
【課題を解決するための手段】
【０００７】
本発明にかかるスマート発光フットマットは、フットマット本体を含む。前記フットマット本体は、前記フットマット本体の縁辺に設置された発光装置、及び前記フットマット本体に設置された制御ユニットを具備する。前記制御ユニットは、メモリー、コントローラ及び無線送受信装置を含む。前記メモリーに、前記発光装置の発光状態表が保存される。前記発光状態表は、複数の発光状態、及び前記複数の発光状態に対応した複数のコードを有する。前記コントローラは、前記発光装置及び前記メモリーに接続され、それによって、前記コントローラは、前記複数のコードに基づいて前記発光装置の発光状態を制御する。前記無線送受信装置は、前記コントローラに接続されており、それによって、無線制御信号を受信して前記コントローラに送信する。なかでも、前記コントローラは、前記無線制御信号を解析してコードを取得し、前記コードを前記発光状態表における前記複数のコードと対照し、前記コードに基づいて、対応した発光状態に前記発光装置を制御する。
【発明の効果】
【０００８】
これにより、本発明のスマート発光フットマットは照明効果を有するのみならず、それぞれのコードによって異なる発光状態を生成できる。そのため、本発明はフットマットの応用を大きく増やした。
【図面の簡単な説明】
【０００９】
【図１】本発明の一実施形態におけるスマート発光フットマットを示す模式図である。
【図２】本発明の一実施形態における制御ユニットを示すブロック図である。
【図３】本発明の一実施形態における給電装置を示すブロック図である。
【図４】本発明の他の実施形態におけるスマート発光フットマットを示す模式図である。
【図５】本発明の他の実施形態におけるスマート発光フットマットを示す模式図である。
【図６】本発明の他の実施形態における制御回路を示すブロック図である。
【図７】本発明の他の実施形態における制御回路を示すブロック図である。
【発明を実施するための形態】
【００１０】
本発明の特徴及び技術的内容がより一層理解できるように、以下に本発明に関する詳細な説明と図面を参照してもよいが、詳細な説明及び図面は参考と説明のためのものに過ぎず、本発明の特許請求の範囲を制限するものではない。
【００１１】
下記より、具体的な実施形態により本発明が開示する「スマート発光フットマット」を説明する。当業者は本明細書の開示により本発明の利点及び効果を理解し得る。本発明は他の実施形態に変更して実施または応用が可能である。本明細書における各細節も様々な観点または応用に基づき、本発明の精神逸脱しない限りに、均等に変形する、または変更することができる。また、本発明の図面は模式的に説明するものであって、実際の寸法は示さない。以下の実施形態により、さらに本発明にかかる技術的内容を説明するが、開示する内容は本発明の範囲を制限しない。
【００１２】
なお、本明細書において「第１」、「第２」、「第３」等の用語で各種の部品又は信号を説明する可能性があるが、これらの部品又は信号はこれらの用語によって制限されるものではない。これらの用語は、主として一つの部品と別の部品、又は一つの信号と別の信号を区分するためのものである。また、本明細書に用いられる「または」という用語は、実際の状況に応じて、関連する項目中の何れか一つ又は複数の組合せを含み得る。
【００１３】
［第１の実施形態］
図１を参照されたい。図１は、本発明の一実施形態におけるスマート発光フットマットを示す模式図である。本発明のスマート発光フットマット１は、フットマット本体１０を含む。フットマット本体１０の形状は、本発明が特に制限せず、図１におけるフットマット本体１０の形状は矩形であるが、例えば、方形、円形であってもよい。なかでも、フットマット本体１０は、発光装置１０１及び制御ユニット１０２を含む。
【００１４】
発光装置１０１は、フットマット本体１０の縁辺に設置される。発光装置１０１は、ＬＥＤバーまたは他の可撓性ライトバーであってもよく、発光装置１０１の種類について本発明に特に制限されない。なかでも、発光装置１０１をフットマット本体１０の縁辺に設置する方式は、粘着、嵌入などの方式であってもよいが、本願発明にはその例に制限されない。
【００１５】
制御ユニット１０２は、フットマット本体１０の内部または外部に設置され、電気インターフェイスを介して発光装置１０１に電気的に接続される。なかでも、フットマット本体１０に制御ユニット１０２を設置する位置は本発明が特に制限せず、図１に示した、フットマット本体１０に制御ユニット１０２を設置する位置は例示に過ぎない。なかでも、制御ユニット１０２の形状は本発明が特に制限せず、図１では四方形であるが、矩形、円形などの形状であってもよい。なかでも、制御ユニット１０２はフットマット本体１０と分離可能である。それによって、ユーザーはフットマット本体１０を好適に清掃できる。
【００１６】
図２及び図４を参照されたい。図２は、本発明の一実施形態における制御ユニットを示すブロック図である。図４は、本発明の他の実施形態におけるスマート発光フットマットを示す模式図である。制御ユニット１０２はメモリー１２、コントローラ１４、無線送受信装置１６及び給電装置１８を含む。
【００１７】
メモリー１２には発光装置１０１の発光状態表が保存される。なかでも、発光状態表は、複数の発光状態、及び複数の発光状態に対応した複数のコードを有する。複数のコードは、移動通信装置２０における着信表示、不在着信通知、メッセージ通知、電池残量またはアプリケーション通知等の装置状態にそれぞれ対応するが、対応する装置状態は本発明が特に制限しない。なかでも、当業者は、移動通信装置２０における任意の装置状態に基づいて発光状態に対応したコードを設定することができる。また、当業者は、発光装置１０１の発光状態、発光状態に対応したコード、及び装置状態とコードとのぺアリングを設定することができる。
【００１８】
コントローラ１４は、発光装置１０１及びメモリー１２に接続される。それによって、コントローラ１４は複数のコードに基づいて発光装置１０１の発光状態を制御する。
【００１９】
無線送受信装置１６は、コントローラ１４に接続されており、無線制御信号を受信してコントローラ１４に送信する。無線送受信装置１６は、無線通信技術を通して、移動通信装置２０からの無線制御信号を受信してコントローラ１４に送信し、それによって発光装置１０１の発光状態を制御する。また、無線送受信装置１６は、無線通信技術を通して、移動通信装置２０からの発光状態調整信号を受信してコントローラ１４に送信し、それによって発光装置１０１の発光状態における点滅頻度、色彩明度または変色頻度などを調整する。なかでも、無線通信技術は、ブルートゥース（登録商標）または無線ＬＡＮでもよいが、本発明がこの例に制限されない。また、発光装置１０１の発光状態を調整する態様は本発明が特に制限せず、発光装置１０１の発光状態における点滅頻度、色彩明度または変色頻度などの本発明における調整は例示に過ぎない。
【００２０】
給電装置１８は、発光装置１０１、メモリー１２、コントローラ１４及び無線送受信装置１６に接続される。給電装置１８は、発光装置１０１、メモリー１２、コントローラ１４及び無線送受信装置１６に給電する。
【００２１】
図３を参照されたい。図３は、本発明の一実施形態における給電装置を示すブロック図である。給電装置１８は、電池２２及び出力／入力ポート２４を含む。なかでも、出力／入力ポート２４は電池２２及び外部電源に接続される。出力／入力ポート２４は、外部電源の電力を受電して電池２２に貯蔵する。
【００２２】
一実施形態では、スマート発光フットマット１は車用フットマットであって、スマート発光フットマット１の給電装置１８における出力／入力ポート２４は、車内の電源に接続される。それによって、車内の電源は、電池２２を充電すると共に、スマート発光フットマット１に給電することができる。
【００２３】
図２に合わせて、図４を参照されたい。一実施形態では、コントローラ１４は無線制御信号を解析してコードを取得し、当該コードを発光状態表における複数のコードと対照する。コントローラ１４は、コートに基づいて、発光装置１０１を対応した発光状態を発光させるように制御する。
【００２４】
一実施形態では、ユーザーの移動通信装置２０は、無線通信技術（例えば、ブルートゥース）を通して、スマート発光フットマット１に接続される。例えば、ユーザーの移動通信装置２０では、アプリケーション通知があると、アプリケーション通知に対応したコードを無線制御信号としてパッケージし、当該無線制御信号をスマート発光フットマット１に送信する。スマート発光フットマット１におけるコントローラ１４は、無線送受信装置１６を通して無線制御信号を受信すると、無線制御信号を解析してアプリケーション通知に対応したコードを取得し、メモリー１２に保存された発光装置１０１の発光状態表を読込んで、アプリケーション通知に対応したコードを発光状態表における全てのコードと対照し、その結果として、同様のコードが発光状態表にあると確認した場合、コントローラ１４は、コードに基づいて、アプリケーション通知に対応した発光状態、例えば、七色のグラデーションライトを発光装置１０１が発光するように制御する。
【００２５】
一実施形態では、移動通信装置２０のアプリケーションにおけるインターフェイスでは、ユーザーは、移動通信装置２０の装置状態に基づいて発光状態に対応したコードを設定する、発光装置１０１の発光状態を調整する、及び発光状態に対応したコードをペアリングすることができる。例えば、発光装置１０１の発光状態表は、複数の発光状態（例えば、五つの発光状態）及びそれらに対応したコード（例えば五つのコード）を有し、ユーザーは、移動通信装置２０のアプリケーションにおけるインターフェイスでは、例えば、移動通信装置２０の着信表示の装置状態を、第１の発光状態に対応した第１のコードに対応するように設定する、不在着信通知の装置状態を、第２の発光状態に対応した第２のコードに対応するように設定する、電池残量の装置状態を、第３の発光状態に対応した第３のコードに対応するように設定することができる。また、ユーザーは移動通信装置２０のアプリケーションにおけるインターフェイスでは、発光装置１０１の発光状態（例えば、発光状態における点滅頻度、色彩明度または変色頻度など）を調整することができる。さらに、ユーザーは移動通信装置２０のアプリケーションにおけるインターフェイスでは、発光状態に対応したコードのペアリングを設定することができる。例えば、第１の発光状態を第２のコードに対応するように設定する、第２の発光状態を第３のコードに対応するように設定する、第３の発光状態を第１のコードに対応するように設定することができる。
【００２６】
一実施形態では、スマート発光フットマット１は車用フットマットである。ユーザーが車内に入ると、移動通信装置２０はブルートゥースを通して、自動的にスマート発光フットマット１における無線送受信装置１６に接続される。運転中において、移動通信装置２０では、着信があると、着信表示の装置状態に対応したコードは無線制御信号としてパッケージされ、当該無線制御信号はスマート発光フットマット１に送信される。スマート発光フットマット１における無線送受信装置１６は、当該無線制御信号を受信してコントローラ１４に送信し、コントローラ１４は、当該無線制御信号を解析して着信表示に対応したコードを取得し、コントローラ１４は、メモリー１２に保存された発光装置１０１の発光状態表を読込んで、着信表示に対応したコードを発光状態表における全てのコードと対照し、結果として、同様のコードが発光状態表にあると確認した場合、コントローラ１４は、コードに基づいて、着信表示の装置状態に対応したコードの発光状態（例えば、単色光が高速に点滅するなど）を発光装置１０１が発光するように制御する。
【００２７】
［第２の実施形態］
図１及び図２と共に、図５を参照されたい。図５は、本発明の他の実施形態におけるスマート発光フットマットを示す模式図である。図５に示すように、本発明のスマート発光フットマット２はフットマット本体４を含み、スマート発光フットマット２の制御回路２６はさらに、ボタン式インターフェイス２８を含み、ボタン式インターフェイス２８は第１のボタン２８１及び第２のボタン２８２を含む。ボタン式インターフェイス２８はコントローラ１４に電気的に接続され、かつ、コントローラ１４はボタン式インターフェイス２８が押されることによって発生したボタン信号を受信する。コントローラ１４は、ボタン信号に基づいて発光装置１０１を制御できる。また、コントローラ１４は、ボタン信号に基づいて無線送受信装置１６を通して移動通信装置２０を操作できる。コントローラ１４は、移動通信装置２０の着信表示を受信すると、ボタン式インターフェイス２８における第１のボタン２８１及び第２のボタン２８２によって、着信に関する操作ができるようにトリガーされる。一方、移動通信装置２０の着信表示を受信していない時、ボタン式インターフェイス２８における第１のボタン２８１及び第２のボタン２８２によって、コントローラ１４が、調整できるのは、発光装置１０１の色、点滅頻度、色彩明度または変色頻度などとなる。
【００２８】
例えば、着信があると、ユーザーは第１のボタン２８１を一度押すことによって受話できる。すると、発光装置１０１の色は緑色に転じ、発光装置１０１の発光状態は持続発光に転じる。それによって、ユーザーは受話したと明瞭に認識し、通話を開始できる。また、通話中において、第２のボタン２８２を一度押すことによって通話を切ることができる。すると、発光装置１０１の色は紅色に転じ、発光装置１０１の発光状態は持続発光に転じる。それによって、ユーザーは通話が切れたと明瞭に認識できる。所定の時間を経過すると、発光状態は持続発光から消灯に転じる。
【００２９】
また、通話中において、割込み電話があると、発光装置１０１の色は緑色に維持するが、発光状態は点滅に転じる。それによって、ユーザーは割込み電話があると明瞭に認識できる。この時、ユーザーは第１のボタン２８１を二度押すことによって、割込み電話を受話することができる。すると、発光装置１０１の色は黄色に転じ、発光状態は点滅に転じる。それによって、ユーザーはもともとの着信が保留中であると明瞭に認識できる。
【００３０】
割込み電話の通話中において、第１のボタン２８１を一度押すことによって、ユーザーはもともとの着信に出ることができる。すると、発光装置１０１の色は再度緑色に転じ、発光状態は点滅に転じる。それによって、ユーザーは割込み電話が保留中であると明瞭に認識できる。もともとの着信の通話中において、第１のボタン２８１を二度押すことによって割込み電話に再度出ることができる。すると、発光装置１０１の色は再度黄色に転じ、発光装置１０１の発光状態は再度点滅に転じる。割込み電話の通話中において、第２のボタン２８２を二度押すことによって、割込み電話の通話を切ることができる。すると、発光装置１０１の色は再度紅色に転じ、発光状態は再度点滅に転じる。
【００３１】
もともとの着信が保留中で、割込み電話の通話を切ると、自動的にもともとの着信に戻るようにコントローラ１４が制御を行う。すると、発光装置１０１の色は再度緑色に転じ、発光状態は持続発光に転じる。もともとの着信が既に切れた場合、発光装置１０１の色は再度紅色に転じ、発光状態は持続発光に転じる。所定時間を経過すると、発光状態は持続発光から消灯に転じる。上述した着信の制御方式及び発光装置１０１の対応的変色は一実施形態に過ぎず、本発明はこれに制限されない。
【００３２】
上述した着信の制御方式をまとめると下表になる：
【表１】
0006933344.tif 000002
【００３３】
一実施形態では、移動通信装置におけるよく使うグループの連絡先からの着信があると、発光装置１０１の点滅頻度が変化する。
【００３４】
例えば、ユーザーの親または妻子からの着信があると、コントローラ１４は第１のレベルと認識し、発光装置１０１は５秒に一度点滅する。ユーザーの上司または同僚からの着信があると、コントローラ１４は第２のレベルと認識し、発光装置１０１は１０秒に一度点滅する。ユーザーの友人からの着信があると、コントローラ１４は第３のレベルと認識し、発光装置１０１は１５秒に一度点滅する。番号が非表示の着信があると、コントローラ１４は第４のレベルと認識し、発光装置１０１は２０秒に一度点滅する。
【００３５】
発光装置１０１の点滅機能をオフにしたい場合、第１のボタン２８１及び第２のボタン２８２を同時に５秒以上押し、コントローラ１４は押し信号を受信すると、発光装置１０１の点滅機能をオフにする。発光装置１０１の点滅機能を再度オンにしたい場合、同様に第１のボタン２８１及び第２のボタン２８２を同時に５秒以上押し、コントローラ１４は押し信号を受信すると、発光装置１０１の点滅機能をオンにする。上述した前記発光装置１０１の点滅頻度は一実施形態に過ぎず、本発明はこれに制限されない。
【００３６】
図５に合わせて、図６を参照されたい。図６は、本発明の他の実施形態における制御回路を示すブロック図である。図６に示すように、制御回路２６はさらにボタン式インターフェイス２８を含み、ボタン式インターフェイス２８は、第１のボタン２８１及び第２のボタン２８２を含む。ボタン式インターフェイス２８は、制御ユニット１０２におけるコントローラ１４に電気的に接続される。コントローラ１４はボタン式インターフェイス２８が押されることによって発生するボタン信号を受信する。また、ボタン式インターフェイス２８におけるボタンの数量は特に制限されない。ボタン式インターフェイス２８におけるボタンを押すことによって、発光装置１０１の発光状態における発光色、点滅頻度、色彩明度または変色頻度などを対応的に調整することができる。ボタン式インターフェイス２８を押す回数の設定は本発明が特に制限しない。コントローラ１４は、移動通信装置２０の着信表示を受信していない時、発光装置１０１の発光色、点滅頻度、色彩明度または変色頻度などを調整できるようにボタン式インターフェイス２８における第１のボタン２８１及び第２のボタン２８２を制御してもよい。
【００３７】
例えば、ユーザーによるボタン式インターフェイス２８におけるボタンの操作は、発光装置１０１の発光色のみを変更する。ユーザーが変更可能なその他の点滅頻度、色彩明度または変色頻度などは初期設定に維持される。例えば、ボタン式インターフェイス２８は第１のボタン２８１を含む。第１のボタン２８１が押されると、発光装置１０１の発光は紅色に変更される。制御回路３０におけるコントローラ１４は、ボタン式インターフェイス２８が押されることによって発生するボタン信号を受信すると、発光装置１０１の発光を橙色に変更する。発光装置１０１の発光色の変更は本発明が特に制限しない。
【００３８】
例えば、ユーザーによるボタン式インターフェイス２８におけるボタンの操作は発光装置１０１の点滅頻度のみを変更する。ユーザーが変更可能なその他の発光色、色彩明度または変色頻度などは初期設定に維持される。例えば、第１のボタン２８１が押されると、発光装置１０１の点滅はオフになる。制御回路２６におけるコントローラ１４はボタン式インターフェイス２８が押されることによって発生するボタン信号を受信すると、発光装置１０１の点滅をオンにする。発光装置１０１の点滅頻度は本発明が特に制限しない。
【００３９】
例えば、ユーザーによるボタン式インターフェイス２８におけるボタンの操作は発光装置１０１の色彩明度のみを変更する。ユーザーが変更可能なその他の発光色、点滅頻度または変色頻度などは初期設定に維持される。例えば、第１のボタン２８１が押されると、発光装置１０１の色彩明度は最高値になる。制御回路２６におけるコントローラ１４はボタン式インターフェイス２８が押されることによって発生するボタン信号を受信すると、発光装置１０１の色彩明度を中間値に変更する。コントローラ１４はユーザーが第１のボタン２８１を持続的に押したと認識すると、発光装置１０１の色彩明度を最高値に変更する。ボタン式インターフェイス２８を押す回数及び色彩明度の段数は本発明が特に制限しない。
【００４０】
例えば、ユーザーによるボタン式インターフェイス２８におけるボタンの操作は発光装置１０１の変色頻度のみを変更する。ユーザーが変更可能なその他の発光色、点滅頻度または色彩明度などは初期設定に維持される。例えば、第１のボタン２８１が押されると、紅色と白色が１０秒毎に交代して発光するように発光装置１０１の変色頻度が変更される。制御回路２６におけるコントローラ１４はボタン式インターフェイス２８が押されることによって発生するボタン信号を受信すると、紅色と白色が５秒毎に交代して発光するように発光装置１０１の変色頻度を変更する。発光装置１０１の変色色彩及び変色時間は本発明が特に制限しない。
【００４１】
発光装置１０１の発光状態はユーザーの使用要求により、同時にまたは個別に調整することができる。例えば、発光色及び点滅頻度を調整し、色彩明度及び変色頻度などを調整しない。例えば、点滅頻度及び色彩明度を調整し、発光色及び変色頻度などを調整しない。上述した複数の発光状態は例示に過ぎず、本発明はこれに制限されない。
【００４２】
［第３の実施形態］
図７は、本発明の他の実施形態における制御回路を示すブロック図である。図７に示すように、制御回路３０はさらに、音声受信装置３０１及び音声認識手段３０２を含む。音声受信装置３０１及び音声認識手段３０２は、制御ユニット１０２におけるコントローラ１４に電気的に接続される。音声認識手段３０２は音声受信装置３０１が取得した音声信号を識別する。コントローラ１４は音声認識手段３０２の認識結果に基づいて発光装置１０１の発光状態における点滅頻度、色彩明度または変色頻度などを変更する。
【００４３】
例えば、ユーザーは、運転の最中に、発光装置１０１の発光状態を手で制御できない。または、道路状況が悪い場合、アクセルとブレーキを繰り返し踏む必要があって、発光装置１０１の発光状態を足でボタン式インターフェイス２８を踏むことで制御できない。その場合、発光装置１０１の発光状態を音声で制御することができる。まず、制御回路３０における音声受信装置３０１はユーザーの音声を収集して、コントローラ１４に送信する。コントローラ１４は音声認識手段３０２を通して音声受信装置３０１が取得した音声信号を識別し、コントローラ１４は、受信した音声信号に基づいて、コードに対応して発光装置１０１を制御することができる。
【００４４】
例えば、受信した音声信号を音声認識手段３０２が第１の音声信号に識別すると、コントローラ１４は第１の音声信号を第１のコードに対応して、発光装置１０１の発光状態表をチェックして第１のコードに対応した第１の発光状態に発光装置１０１を制御し、例えば、発光装置１０１の発光色を紅色に変更する。
【００４５】
例えば、受信した音声信号を音声認識手段３０２が第２の音声信号に識別すると、コントローラ１４は第２の音声信号を第２のコードに対応して、発光装置１０１の発光状態表をチェックして第２のコードに対応した第２の発光状態に発光装置１０１を制御し、例えば、５秒に一度点滅するように発光装置１０１の点滅頻度を変更する。
【００４６】
例えば、受信した音声信号を音声認識手段３０２が第３の音声信号に識別すると、コントローラ１４は第３の音声信号を第３のコードに対応して、発光装置１０１の発光状態表をチェックして第３のコードに対応した第３の発光状態に発光装置１０１を制御し、例えば、紅色と白色が５秒毎に交代して発光するように発光装置１０１の変色頻度を変更する。
【００４７】
例えば、受信した音声信号を音声認識手段３０２が第４の音声信号に識別すると、コントローラ１４は第４の音声信号を第４のコードに対応して、発光装置１０１の発光状態表をチェックして第４のコードに対応した第４の発光状態に発光装置１０１を制御し、例えば、例えば、発光装置１０１の色彩明度を中間値に変更する。
【００４８】
上述した実施形態では、音声認識を通して発光装置１０１の発光状態を対応的に変更するが、これに制限されない。本発明の自動車用発光フットマットの置き位置も本発明が特に制限せず、好適に音声を収集できる任意の位置に設置することができる。運転席で使用する場合、安全性を考慮して、優先的に運転席の左側に設置してもよく、それによってユーザーは好適に制御できる。自動車用発光フットマットの置き位置は本発明が特に制限しない。
【００４９】
これにより、本発明のスマート発光フットマットは照明効果を有するのみならず、それぞれのコードによって異なる発光状態を生成できる。そのため、本発明はフットマットの応用を大きく増やした。また、自動車用発光フットマットは、受信したボタン信号または音認識の結果に基づいて、異なる発光状態における点滅頻度、色彩明度または変色頻度などを変更することができる。自動車用発光フットマットは、手で制御できない状況において、ボタン式インターフェイスまたは音認識によって自動車用発光フットマットを制御できる。それによって、本発明は制御の便利さを提供する。
【００５０】
以上に開示される内容は本発明の好ましい実施形態に過ぎず、これにより本発明の特許請求の範囲を制限するものではない。そのため、本発明の明細書及び添付図面の内容に基づき為された等価の技術変形は、全て本発明の特許請求の範囲に含まれるものとする。
【符号の説明】
【００５１】
１：スマート発光フットマット
１０：フットマット本体
１０１：発光装置
１０２：制御ユニット
１２：メモリー
１４：コントローラ
１６：無線送受信装置
１８：給電装置
２：スマート発光フットマット
２０：移動通信装置
２２：電池
２４：出力／入力ポート
２６：制御回路
２８：ボタン式インターフェイス
２８１：第１のボタン
２８２：第２のボタン
３０：制御回路
３０１：音声受信装置
３０２：音声認識手段
４：フットマット本体
【図１】
0006933344.tif 000003
【図２】
0006933344.tif 000004
【図３】
0006933344.tif 000005
【図４】
0006933344.tif 000006
【図５】
0006933344.tif 000007
【図６】
0006933344.tif 000008
【図７】
0006933344.tif 000009